(57)【特許請求の範囲】
【請求項１】
床下に配置された横架材の下面に当接する当接部と、
前記当接部の前記下面への当接状態において前記当接部から前記横架材の一方の側面よりも外側へ突出する第一断熱材支持部と、
前記当接状態において前記当接部から前記横架材の他方の側面よりも外側へ突出する第二断熱材支持部と、
前記第一断熱材支持部と一体に設けられると共に、前記当接部に対する前記横架材の長手方向一方側で前記第一断熱材支持部に対して起立され、且つ前記横架材の側面に固定され、前記当接状態において上端が前記横架材の上端よりも下側に位置する被固定部と、
前記当接部に対する前記長手方向一方側で前記当接部及び前記第二断熱材支持部と一体に設けられ、前記横架材の下面に当接する一方側当接部と、
を備えた断熱材支持具。
【請求項２】
床下に配置された横架材の下面に当接する当接部と、
前記当接部の前記下面への当接状態において前記当接部から前記横架材の一方の側面よりも外側へ突出する第一断熱材支持部と、
前記当接状態において前記当接部から前記横架材の他方の側面よりも外側へ突出する第二断熱材支持部と、
前記第一断熱材支持部と一体に設けられ、且つ前記横架材の前記一方の側面に固定され、前記当接状態において上端が前記横架材の上端よりも下側に位置する第一被固定部と、
前記第二断熱材支持部と一体に設けられ、且つ前記横架材の前記他方の側面に固定され、前記当接状態において上端が前記横架材の上端よりも下側に位置する第二被固定部と、
を備え、
前記第二被固定部は、
前記当接部に対する前記横架材の長手方向一方側とは反対側の長手方向他方側で、前記第二断熱材支持部に対して起立されている
断熱材支持具。
【請求項３】
前記当接部に対する前記長手方向他方側で前記当接部及び前記第一断熱材支持部と一体に設けられ、前記横架材の下面に当接する他方側当接部
を備えた請求項２に記載の断熱材支持具。
【請求項４】
前記第一被固定部及び前記第二被固定部の少なくとも一方と一体に当該少なくとも一方の上端に設けられ、前記横架材の側面に差し込まれる差込部
を備えた請求項２又は３に記載の断熱材支持具。
【発明の詳細な説明】
【技術分野】
【０００１】
本発明は、断熱材支持具に関する。
【背景技術】
【０００２】
特許文献１には、床下に配置された横架材（具体的には根太や大引）にその長手方向に複数配設され、断熱材を支持する断熱材支持具が開示されている。
【先行技術文献】
【特許文献】
【０００３】
【特許文献１】特開２００６−２５７７１８号公報
【発明の概要】
【発明が解決しようとする課題】
【０００４】
特許文献１の断熱材支持具は、横架材の上面に載置される幅員部を有し、当該幅員部が横架材の上面に固定される。このように、横架材の上面に幅員部が載置されるため、断熱材支持具は、横架材の上面から幅員部の厚み分だけ突出した状態になる。そして、断熱材支持具が固定された横架材の上にパーチクルボード等の板材を配置すると、板材と横架材との間に隙間が形成される。
【０００５】
本発明は、上記事実を考慮し、床下に配置された横架材の上に板材を配置した場合でも、板材と横架材との間に隙間が形成されることを抑制できる断熱材支持具を提供することを目的とする。
【課題を解決するための手段】
【０００６】
本発明の第１態様は、床下に配置された横架材の下面に当接する当接部と、前記当接部の前記下面への当接状態において前記当接部から前記横架材の一方の側面よりも外側へ突出する第一断熱材支持部と、前記当接状態において前記当接部から前記横架材の他方の側面よりも外側へ突出する第二断熱材支持部と、前記当接部、前記第一断熱材支持部及び前記第二断熱材支持部の少なくとも一つに設けられ、且つ前記横架材の側面に固定され、前記当接状態において上端が前記横架材の上端よりも下側に位置する被固定部と、を備えている。
【０００７】
第１態様によれば、当接部が横架材の下面に当接した当接状態で、被固定部が横架材の側面に固定される。そして、当接部から横架材の一方の側面よりも外側へ突出する第一断熱材支持部と、当接部から横架材の他方の側面よりも外側へ突出する第二断熱材支持部とで、断熱材を支持する。
【０００８】
ここで、第１態様では、横架材の側面に固定される被固定部は、当接部の横架材の下面への当接状態において、上端が横架材の上端よりも下側に位置する。このため、被固定部が、横架材の上端より上側へ突出しない。したがって、断熱材支持具が固定された横架材の上にパーチクルボード等の板材を配置した場合でも、板材と横架材との間に隙間が形成されることを抑制できる。
【０００９】
本発明の第２態様では、前記被固定部は、前記第一断熱材支持部と一体に設けられており、前記当接部に対する前記横架材の長手方向一方側で前記第一断熱材支持部に対して起立されている。
【００１０】
第２態様によれば、例えば、当接部に対する横架材の長手方向一方側の部分と第一断熱材支持部との境界を屈曲させて、当該部分を第一断熱材支持部に対して起立させることで、被固定部を形成できる。このように、当該部分と第一断熱材支持部との境界を屈曲させるという簡易な加工で、被固定部を第一断熱材支持部と一体に設けることができる。
【００１１】
本発明の第３態様は、前記当接部に対する前記長手方向一方側で前記当接部及び前記第二断熱材支持部と一体に設けられ、前記横架材の下面に当接する一方側当接部を備えている。
【００１２】
第３態様によれば、一方側当接部も横架材の下面に当接するので、当接部のみが当接する構成に比べ、断熱材支持具が横架材に対して傾きにくく、断熱材支持具の横架材に対する姿勢が安定する。
【００１３】
本発明の第４態様は、前記第一断熱材支持部と一体に設けられ、前記横架材の前記一方の側面に固定される前記被固定部としての第一被固定部と、前記第二断熱材支持部と一体に設けられ、且つ前記横架材の前記他方の側面に固定され、前記当接状態において上端が前記横架材の上端よりも下側に位置する第二被固定部と、を備えている。
【００１４】
第４態様によれば、第一被固定部と第二被固定部とが横架材の両側の側面にそれぞれ固定されるので、横架材の片側の側面に対して単一の被固定部が固定される構成に比べ、断熱材支持具の横架材に対する固定強度が高い。
【００１５】
本発明の第５態様では、前記第二被固定部は、前記当接部に対する前記横架材の長手方向他方側で前記第二断熱材支持部に対して起立されている。
【００１６】
第５態様によれば、例えば、当接部に対する横架材の長手方向他方側の部分と第二断熱材支持部との境界を屈曲させて、当該部分を第二断熱材支持部に対して起立させることで、第二被固定部を形成できる。このように、当該部分と第二断熱材支持部との境界を屈曲させるという簡易な加工で、第二被固定部を第二断熱材支持部と一体に設けることができる。
【００１７】
本発明の第６態様は、前記当接部に対する前記長手方向他方側で前記当接部及び前記第一断熱材支持部と一体に設けられ、前記横架材の下面に当接する他方側当接部を備えている。
【００１８】
第６態様によれば、他方側当接部も横架材の下面に当接するので、当接部のみが当接する構成に比べ、断熱材支持具が横架材に対して傾きにくく、断熱材支持具の横架材に対する姿勢が安定する。
【００１９】
本発明の第７態様は、前記第一被固定部及び前記第二被固定部の少なくとも一方と一体に当該少なくとも一方の上端に設けられ、前記横架材の側面に差し込まれる差込部を備えている。
【００２０】
第７態様によれば、第一被固定部及び第二被固定部の少なくとも一方と一体に設けられた差込部を横架材の側面に差し込むことで、第一被固定部及び第二被固定部の少なくとも一方を横架材の側面に固定することができる。したがって、第一被固定部及び第二被固定部を固定するためのビス等の固定部材が不要となる。
【００２１】
本発明の第８態様では、前記被固定部は、前記当接部と一体に設けられ、前記第一断熱材支持部に対する前記横架材の長手方向一方側で起立されている。
【００２２】
第８態様によれば、例えば、第一断熱材支持部に対する横架材の長手方向一方側の部分と当接部との境界を屈曲させて、当該部分を当接部に対して起立させることで、被固定部を形成できる。このように、当該部分と当接部との境界を屈曲させるという簡易な加工で、被固定部を当接部と一体に設けることができる。
【００２３】
本発明の第９態様では、前記第一断熱材支持部は、前記横架材の長手方向に間隔をおいて配置された一対で構成されている。
【００２４】
第９態様によれば、一対の第一断熱材支持部のそれぞれが、横架材の長手方向に離れた位置で断熱材を支持することができる。
【００２５】
本発明の第１０態様では、前記被固定部は、前記当接部と一体に設けられ、一対の前記第一断熱材支持部の間で起立されている。
【００２６】
第１０態様によれば、例えば、一対の第一断熱材支持部の間の部分と当接部との境界を屈曲させて、当該部分を当接部に対して起立させることで、被固定部を形成できる。このように、当該部分と当接部との境界を屈曲させるという簡易な加工で、被固定部を当接部と一体に設けることができる。
【００２７】
本発明の第１１態様では、前記第二断熱材支持部は、前記横架材の長手方向に間隔をおいて配置された一対で構成されている。
【００２８】
第１１態様によれば、一対の第二断熱材支持部のそれぞれが、横架材の長手方向に離れた位置で断熱材を支持することができる。
【００２９】
本発明の第１２態様は、前記横架材の前記一方の側面に固定される前記被固定部としての第一被固定部と、前記当接部と一体に設けられ、且つ前記横架材の前記他方の側面に固定され、前記当接部が前記横架材の下面に当接した状態で上端が前記横架材の上端よりも下側に位置し、さらに一対の前記第二断熱材支持部の間で起立されている第二被固定部と、を備えている。
【００３０】
第１２態様によれば、例えば、一対の第二断熱材支持部の間の部分と当接部との境界を屈曲させて、当該部分を当接部に対して起立させることで、第二被固定部を形成できる。このように、当該部分と当接部との境界を屈曲させるという簡易な加工で、第二被固定部を当接部と一体に設けることができる。
【発明の効果】
【００３１】
本発明の構成によれば、断熱材支持具が固定された横架材の上にパーチクルボード等の板材を配置した場合でも、板材と横架材との間に隙間が形成されることを抑制できる。
【図面の簡単な説明】
【００３２】
【図１】第一実施形態に係る断熱材支持具の構成を示す斜視図である。
【図２】第一実施形態に係る断熱材支持具の構成を示す側面図である。
【図３】第一実施形態に係る断熱材支持具の構成を示す平面図である。
【図４】第一実施形態に係る断熱材支持具へ加工する前の金属板を示す平面図である。
【図５】第一実施形態に係る断熱材支持具を固定した根太の上に板材を配置した状態を示す図である。
【図６】比較例に係る断熱材支持具を固定した根太の上に板材を配置した状態を示す図である。
【図７】第二実施形態に係る断熱材支持具の構成を示す斜視図である。
【図８】第二実施形態に係る断熱材支持具の構成を示す側面図である。
【図９】第二実施形態に係る断熱材支持具の構成を示す平面図である。
【図１０】第二実施形態に係る断熱材支持具へ加工する前の金属板を示す平面図である。
【図１１】第三実施形態に係る断熱材支持具の構成を示す斜視図である。
【図１２】第三実施形態に係る断熱材支持具の構成を示す側面図である。
【図１３】第三実施形態に係る断熱材支持具の構成を示す平面図である。
【図１４】第三実施形態に係る断熱材支持具へ加工する前の金属板を示す平面図である。
【図１５】第四実施形態に係る断熱材支持具の構成を示す斜視図である。
【図１６】第四実施形態に係る断熱材支持具の構成を示す側面図である。
【図１７】第四実施形態に係る断熱材支持具の構成を示す平面図である。
【図１８】第四実施形態に係る断熱材支持具へ加工する前の金属板を示す平面図である。
【図１９】第五実施形態に係る断熱材支持具の構成を示す斜視図である。
【図２０】第五実施形態に係る断熱材支持具の構成を示す側面図である。
【図２１】第五実施形態に係る断熱材支持具の構成を示す平面図である。
【図２２】第五実施形態に係る断熱材支持具へ加工する前の金属板を示す平面図である。
【発明を実施するための形態】
【００３３】
以下に、本発明に係る実施形態の一例を図面に基づき説明する。
【００３４】
《第一実施形態》
［断熱材支持具１０］
まず、第一実施形態に係る断熱材支持具１０の構成を説明する。図１〜図３は、第一実施形態に係る断熱材支持具１０の構成を示す概略図である。なお、以下の説明で用いる＋Ｘ方向、−Ｘ方向、＋Ｙ方向、−Ｙ方向、＋Ｚ方向及び−Ｚ方向は、図中に示す矢印方向である。また、下記の説明で用いる「Ｘ方向」は「＋Ｘ方向又は−Ｘ方向」を、「Ｙ方向」は「＋Ｙ方向又は−Ｙ方向」を、「Ｚ方向」は「＋Ｚ方向又は−Ｚ方向」を意味する。このＸ方向、Ｙ方向及びＺ方向は、それぞれ、断熱材支持具１０が固定される根太９２の長手方向、根太９２の短手方向（幅方向）、及び根太９２の高さ方向に相当する。また、Ｘ方向、Ｙ方向及びＺ方向は、互いに直交している。
【００３５】
断熱材支持具１０は、断熱材を支持する支持具であり、図１に示されるように、床下に配置された根太９２（横架材の一例）に固定されて用いられる。断熱材支持具１０の支持対象である断熱材としては、例えば、グラスウールやロックウールなどの繊維で形成された断熱ボードや、ポリスチレン、ポリウレタン、ポリエチレン、ポリ塩化ビニル、フェノール樹脂等の樹脂材料による発泡体で形成された断熱ボードが用いられる。
【００３６】
断熱材支持具１０は、具体的には、図１に示されるように、第一当接部１４Ａ（当接部の一例）と、第二当接部１４Ｂ（一方側当接部の一例）と、第一断熱材支持部１１と、第二断熱材支持部１２と、被固定部１６と、を備えている。
【００３７】
第一当接部１４Ａ及び第二当接部１４Ｂは、図２に示されるように、根太９２の下面に当接する部分である。この第一当接部１４Ａ及び第二当接部１４Ｂは、高さ方向（Ｚ方向）に厚みを有する板状とされている。第一当接部１４Ａ及び第二当接部１４Ｂが根太９２の下面に当接した状態（以下、当接部１４Ａ、１４Ｂの当接状態という）において、断熱材支持具１０は根太９２に対して固定される。
【００３８】
第一当接部１４Ａは、図３に示されるように、断熱材支持具１０のＹ方向の中央部分（中間部分）であって＋Ｘ方向側部分を構成している。この第一当接部１４Ａは、Ｙ方向において、根太９２の全幅Ｗで根太９２の下面に当接し、Ｘ方向において、根太９２の全幅Ｗより短い長さで根太９２の下面に当接している。したがって、第一当接部１４Ａは、平面視にてＹ方向に長さを有する長方形状とされている。
【００３９】
第二当接部１４Ｂは、第一当接部１４Ａに対する−Ｘ方向側（根太９２の長手方向一方側の一例）で、第一当接部１４Ａ及び第二断熱材支持部１２と一体に設けられている。第二当接部１４Ｂは、第一当接部１４Ａに対する−Ｘ方向側であって、第二当接部１４Ｂに対する＋Ｙ方向側に切欠１７が形成されることで、Ｙ方向幅が第一当接部１４Ａよりも狭くされている。
【００４０】
第一断熱材支持部１１は、図１及び図２に示されるように、第一当接部１４Ａと一体に設けられ、第一当接部１４Ａから＋Ｙ方向側へ延び出ている。すなわち、第一断熱材支持部１１は、当接部１４Ａ、１４Ｂの当接状態において、第一当接部１４Ａから根太９２の＋Ｙ方向側の側面（一方の側面の一例）よりも外側（＋Ｙ方向側）へ突出する。この第一断熱材支持部１１は、高さ方向（Ｚ方向）に厚みを有する板状とされている。
【００４１】
さらに、第一断熱材支持部１１のＸ方向長さは、図３に示されるように、第一当接部１４Ａ及び第二当接部１４Ｂを合わせたＸ方向長さと同じとされている。第一断熱材支持部１１のＹ方向幅は、第一断熱材支持部１１のＸ方向長さよりも狭くされている。したがって、第一断熱材支持部１１は、平面視にてＸ方向に長さを有する長方形状とされている。そして、第二断熱材支持部１２は、上面に断熱材の一部（例えば、隅部）が載せられて、当該断熱材を支持する。断熱材は、例えば、平面視にて、Ｙ方向に複数配置された根太９２の間に配置される。
【００４２】
第二断熱材支持部１２は、図３に示されるように、第一当接部１４Ａ及び第二当接部１４Ｂと一体に設けられ、第一当接部１４Ａ及び第二当接部１４Ｂから−Ｙ方向側へ延び出ている。すなわち、第二断熱材支持部１２は、当接部１４Ａ、１４Ｂの当接状態において、図２に示されるように、第一当接部１４Ａ及び第二当接部１４Ｂから根太９２の−Ｙ方向側の側面（他方の側面の一例）よりも外側（−Ｙ方向側）へ突出する。この第二断熱材支持部１２は、高さ方向（Ｚ方向）に厚みを有する板状とされている。
【００４３】
さらに、第二断熱材支持部１２のＸ方向長さは、図３に示されるように、第一当接部１４Ａ及び第二当接部１４Ｂを合わせたＸ方向長さと同じとされている。第二断熱材支持部１２のＹ方向幅は、第一断熱材支持部１１のＹ方向幅よりも若干広く、第二断熱材支持部１２のＸ方向長さよりも狭くされている。したがって、第二断熱材支持部１２は、平面視にてＸ方向に長さを有する長方形状とされている。そして、第二断熱材支持部１２は、上面に断熱材の一部（例えば、隅部）が載せられて、当該断熱材を支持する。
【００４４】
被固定部１６は、図２に示されるように、第一断熱材支持部１１と一体に設けられており、図１に示されるように、第一当接部１４Ａに対する−Ｘ方向側（根太９２の長手方向一方側の一例）で第一断熱材支持部１１に対して起立されている。具体的には、被固定部１６は、第一断熱材支持部１１における−Ｘ方向端を含む−Ｘ方向側部分の−Ｙ方向端から上方（＋Ｚ方向）へ延び出ている。したがって、被固定部１６のＸ方向長さは、第一断熱材支持部１１のＸ方向長さよりも短くされている。
【００４５】
そして、被固定部１６は、図２に示されるように、根太９２の＋Ｙ方向側の側面に固定される。具体的には、被固定部１６に形成されたビス孔１６Ａ（図１参照）に対して通されたビスによって、根太９２に固定される。なお、図２及び図３では、当該ビスによって固定される位置が、一点鎖線によって示されている。
【００４６】
また、被固定部１６は、Ｙ方向に厚みを有する板状とされている。さらに、被固定部１６のＺ方向長さは、根太９２の高さ方向長さよりも短くされている。このため、当接部１４Ａ、１４Ｂの当接状態において、被固定部１６の上端が根太９２の上端よりも下側（−Ｚ方向側）に位置する。
【００４７】
断熱材支持具１０では、図５に示されるように、根太９２の長手方向（Ｘ方向）に沿って複数配設される。この場合では、各断熱材支持具１０は、根太９２の＋Ｙ方向側の側面に対して被固定部１６が固定されており、根太９２に対する断熱材支持具１０の向きが同じとなっている。なお、第一断熱材支持部１１と第二断熱材支持部１２との根太９２に対する位置が入れ替わるように、例えば、根太９２における＋Ｙ方向側の側面及び−Ｙ方向側の側面に対して交互に各断熱材支持具１０を固定してもよい。
【００４８】
また、断熱材支持具１０は、平面状で且つ平面視長方形状の金属板１００（図４参照）を加工することで製造（形成）されている。金属板１００としては、例えば、表面に防錆塗装を施した炭素鋼、ステンレス鋼などの合金鋼、銅ニッケル合金などの非鉄金属などの各種金属材料を用いることが可能である。
【００４９】
断熱材支持具１０は、具体的には、以下のように、金属板１００から製造（形成）される。すなわち、まず、金属板１００において、被固定部１６となる部分１１６にビス孔１６Ａを形成する。部分１１６は、金属板１００のＹ方向の中央部（中間部）であって−Ｘ方向側部分を構成している。次に、部分１１６の＋Ｘ方向端及び−Ｙ方向端の境界に沿って所定幅の溝１０２をＬ字状に形成する。これにより、溝１０２に対する＋Ｘ方向側に、第一当接部１４Ａが形成され、溝１０２に対する−Ｙ方向側に、第二当接部１４Ｂが形成される。そして、部分１１６（第一当接部１４Ａに対する−Ｘ方向側部分）と第一断熱材支持部１１との境界Ｌを屈曲させて、部分１１６を第一断熱材支持部１１に対して起立させることで、被固定部１６が形成される。このようにして断熱材支持具１０が製造（形成）される。
【００５０】
断熱材支持具１０は、図１及び図２に示されるように、第一当接部１４Ａ及び第二当接部１４Ｂが根太９２の下面に当接され、且つ、被固定部１６が根太９２の側面に当接された状態で、ビス孔１６Ａに通されたビスによって、被固定部１６が根太９２に固定される。このとき、被固定部１６の上端が根太９２の上端よりも下側に位置する。このようにして、断熱材支持具１０は、根太９２に対して固定される（取り付けられる）。
【００５１】
［断熱材支持具１０の作用効果］
断熱材支持具１０では、図２に示されるように、当接部１４Ａ、１４Ｂの当接状態において、被固定部１６の上端が根太９２の上端よりも下側に位置し、この状態で、被固定部１６が根太９２に固定される。
【００５２】
ここで、図６に示される断熱材支持具８００（比較例）では、被固定部８１６が根太９２の上面に載置された状態で根太９２の上面に固定される。なお、断熱材支持具８００は、被固定部８１６の＋Ｙ方向端及び−Ｙ方向端のそれぞれから下方へ延び出て根太９２の各側面に当接する当接部８１４と、各当接部８１４の下端から外側に張り出した断熱材支持部８１３と、を有している。
【００５３】
そして、断熱材支持具８００では、被固定部８１６が根太９２の上面に載置されるため、被固定部８１６の厚み分だけ根太９２の上面から上方へ突出した状態になる。そして、断熱材支持具８００が配設された根太９２の上にパーチクルボード等の板材９４が配置されると、板材９４と根太９２との間に隙間９６が形成される。板材９４と根太９２との間に隙間９６が形成されると、床鳴りや歩行感の不良の原因となる。
【００５４】
これに対して、本実施形態に係る断熱材支持具１０では、図２に示されるように、当接部１４Ａ、１４Ｂの当接状態において、被固定部１６の上端が根太９２の上端よりも下側に位置する。このため、被固定部１６が根太９２に固定された際に、被固定部１６が根太９２の上端より上側へ突出しない。したがって、図５に示されるように、断熱材支持具１０が固定された根太９２の上にパーチクルボード等の板材９４を配置しても、板材９４と根太９２との間に隙間９６（図６参照）が形成されることが抑制される。これにより、隙間９６に起因する床鳴りや歩行感の不良が抑制される。
【００５５】
また、本実施形態では、金属板１００（図４参照）の部分１１６（第一当接部１４Ａに対する−Ｘ方向側部分）と第一断熱材支持部１１との境界Ｌを屈曲させて、部分１１６を第一断熱材支持部１１に対して起立させることで、被固定部１６が形成される。このように、部分１１６と第一断熱材支持部１１との境界を屈曲させるという簡易な加工で、被固定部１６を第一断熱材支持部１１と一体に設けることができる。したがって、複数個所を屈曲して製造する場合や、複数の金属板を接合して製造する場合などに比べ、形状が単純であると共に、製造工程における工程数が少なく、安価に製造できる。
【００５６】
また、本実施形態では、断熱材支持具１０として根太９２に固定した場合において、根太９２の下面に配置される部分１１６を被固定部１６として用いるので、断熱材支持具１０として根太９２に固定した場合において根太９２のＹ方向側に突出する部分を被固定部１６として用いる構成に比べ、第一断熱材支持部１１及び第二断熱材支持部１２の面積を広くできる。
【００５７】
また、本実施形態では、第一当接部１４Ａだけでなく第二当接部１４Ｂも根太９２の下面に当接するので、第一当接部１４Ａのみが当接する構成に比べ、断熱材支持具１０が根太９２に対して傾きにくく、断熱材支持具１０の根太９２に対する姿勢が安定する。
【００５８】
また、本実施形態では、断熱材支持具１０は、被固定部１６が根太９２の側面に固定されるので、断熱材支持具１０が根太９２の下面に固定される構成に比べ、根太９２への固定作業がしやすい。
【００５９】
《第二実施形態》
［断熱材支持具２０］
次に、第二実施形態に係る断熱材支持具２０の構成を説明する。図７〜図９は、第二実施形態に係る断熱材支持具２０の構成を示す概略図である。なお、断熱材支持具１０と同じ点については、説明を適宜省略する。
【００６０】
断熱材支持具２０は、図７に示されるように、第一当接部２４Ａ（当接部の一例）と、第二当接部２４Ｂ（一方側当接部の一例）と、第三当接部２４Ｃ（他方側当接部の一例）と、第一断熱材支持部２１と、第二断熱材支持部２２と、第一被固定部２６と、第二被固定部２８と、を備えている。
【００６１】
第一当接部２４Ａ、第二当接部２４Ｂ及び第三当接部２４Ｃ（以下、当接部２４Ａ〜２４Ｃという）は、図８に示されるように、根太９２の下面に当接する部分である。この当接部２４Ａ〜２４Ｃは、高さ方向（Ｚ方向）に厚みを有する板状とされている。当接部２４Ａ〜２４Ｃが、根太９２の下面に当接した状態（以下、当接部２４Ａ〜２４Ｃの当接状態という）において、断熱材支持具２０は根太９２に対して固定される。
【００６２】
第一当接部２４Ａは、図９に示されるように、断熱材支持具２０のＹ方向の中央部分（中間部分）であってＸ方向の中央部分（中間部分）を構成している。この第一当接部２４Ａは、Ｙ方向において、根太９２の全幅Ｗで根太９２の下面に当接し、Ｘ方向において、根太９２の全幅Ｗより短い長さで根太９２の下面に当接している。したがって、第一当接部２４Ａは、平面視にてＹ方向に長さを有する長方形状とされている。
【００６３】
第二当接部２４Ｂは、第一当接部２４Ａに対する−Ｘ方向側（根太９２の長手方向一方側の一例）で、第一当接部２４Ａ及び第二断熱材支持部２２と一体に設けられている。第二当接部２４Ｂは、第一当接部２４Ａに対する−Ｘ方向側であって、第二当接部２４Ｂに対する＋Ｙ方向側に切欠２７が形成されることで、Ｙ方向幅が第一当接部２４Ａよりも狭くされている。
【００６４】
第三当接部２４Ｃは、第一当接部２４Ａに対する＋Ｘ方向側（根太９２の長手方向他方側の一例）で、第一当接部２４Ａ及び第一断熱材支持部２１と一体に設けられている。第三当接部２４Ｃは、第一当接部２４Ａに対する＋Ｘ方向側であって、第三当接部２４Ｃに対する−Ｙ方向側に切欠２９が形成されることで、Ｙ方向幅が第一当接部２４Ａよりも狭くされている。第三当接部２４ＣのＸ方向長さ及びＹ方向幅は、それぞれ、例えば、第二当接部２４ＢのＸ方向長さ及びＹ方向幅と同じとされる。
【００６５】
第一断熱材支持部２１は、図７及び図８に示されるように、第一当接部２４Ａ及び第三当接部２４Ｃと一体に設けられ、第一当接部２４Ａ及び第三当接部２４Ｃから＋Ｙ方向側へ延び出ている。すなわち、第一断熱材支持部２１は、当接部２４Ａ〜２４Ｃの当接状態において、第一当接部２４Ａ及び第三当接部２４Ｃから根太９２の＋Ｙ方向側の側面（一方の側面の一例）よりも外側（＋Ｙ方向側）へ突出する。また、第一断熱材支持部２１のＸ方向長さは、図９に示されるように、当接部２４Ａ〜２４Ｃを合わせたＸ方向長さと同じとされている。他の点については、第一断熱材支持部２１は、第一実施形態の断熱材支持具１０における第一断熱材支持部１１と同様に構成されている。
【００６６】
第二断熱材支持部２２は、図９に示されるように、第一当接部２４Ａ及び第二当接部２４Ｂと一体に設けられ、第一当接部２４Ａ及び第二当接部２４Ｂから−Ｙ方向側へ延び出ている。すなわち、第二断熱材支持部２２は、当接部２４Ａ〜２４Ｃの当接状態において、図８に示されるように、第一当接部２４Ａ及び第二当接部２４Ｂから根太９２の−Ｙ方向側の側面（他方の側面の一例）よりも外側（−Ｙ方向側）へ突出する。第二断熱材支持部２２のＸ方向長さは、図９に示されるように、当接部２４Ａ〜２４Ｃを合わせたＸ方向長さと同じとされている。他の点については、第二断熱材支持部２２は、第一実施形態の断熱材支持具１０における第二断熱材支持部１２と同様に構成されている。
【００６７】
第一被固定部２６は、図７に示されるように、第一断熱材支持部２１と一体に設けられており、第一当接部２４Ａに対する−Ｘ方向側（根太９２の長手方向一方側の一例）で第一断熱材支持部２１に対して起立されている。具体的には、第一被固定部２６は、第一断熱材支持部２１における−Ｘ方向端を含む−Ｘ方向側部分の−Ｙ方向端から上方（＋Ｚ方向）へ延び出ている。したがって、第一被固定部２６のＸ方向長さは、第一断熱材支持部２１のＸ方向長さよりも短くされている。
【００６８】
そして、第一被固定部２６は、図８に示されるように、根太９２の＋Ｙ方向側の側面に固定される。具体的には、第一被固定部２６に形成されたビス孔２６Ａ（図７参照）に対して通されたビスによって、根太９２に固定される。なお、図８及び図９では、当該ビスによって固定される位置が、一点鎖線によって示されている。
【００６９】
第二被固定部２８は、図７に示されるように、第二断熱材支持部２２と一体に設けられており、第一当接部２４Ａに対する＋Ｘ方向側（根太９２の長手方向他方側の一例）で第二断熱材支持部２２に対して起立されている。具体的には、第二被固定部２８は、第二断熱材支持部２２における＋Ｘ方向端を含む＋Ｘ方向側部分の＋Ｙ方向端から上方（＋Ｚ方向）へ延び出ている。したがって、第二被固定部２８のＸ方向長さは、第二断熱材支持部２２のＸ方向長さよりも短くされている。
【００７０】
そして、第二被固定部２８は、図８に示されるように、根太９２の−Ｙ方向側の側面に固定される。具体的には、第二被固定部２８に形成されたビス孔２８Ａ（図７参照）に対して通されたビスによって、根太９２に固定される。なお、図８及び図９では、当該ビスによって固定される位置が、一点鎖線によって示されている。
【００７１】
また、第一被固定部２６及び第二被固定部２８（以下、被固定部２６、２８という）は、Ｙ方向に厚みを有する板状とされている。さらに、被固定部２６、２８のＺ方向長さは、根太９２の高さ方向長さよりも短くされている。このため、当接部２４Ａ〜２４Ｃの当接状態において、被固定部２６、２８の上端が根太９２の上端よりも下側（−Ｚ方向側）に位置する。なお、被固定部２６、２８のＺ方向長さは、同じとされている。
【００７２】
また、断熱材支持具２０は、平面状で且つ平面視長方形状の金属板２００（図１０参照）を加工することで製造（形成）されている。金属板２００としては、例えば、表面に防錆塗装を施した炭素鋼、ステンレス鋼などの合金鋼、銅ニッケル合金などの非鉄金属などの各種金属材料を用いることが可能である。
【００７３】
断熱材支持具２０は、具体的には、以下のように、金属板２００から製造（形成）される。すなわち、まず、金属板２００において、第一被固定部２６となる部分２２６にビス孔２６Ａを形成し、第二被固定部２８となる部分２２８にビス孔２８Ａを形成する。部分２２６は、金属板２００のＹ方向の中央部（中間部）であって−Ｘ方向側部分を構成し、部分２２８は、金属板２００のＹ方向の中央部（中間部）であって＋Ｘ方向側部分を構成している。
【００７４】
次に、部分２２６の＋Ｘ方向端及び−Ｙ方向端の境界に沿って所定幅の溝２０２をＬ字状に形成し、部分２２８の−Ｘ方向端及び＋Ｙ方向端の境界に沿って所定幅の溝２０４をＬ字状に形成する。これにより、溝２０２に対する＋Ｘ方向側であって、溝２０４に対する−Ｘ方向側に第一当接部２４Ａが形成される。また、溝２０２に対する−Ｙ方向側に第二当接部２４Ｂが形成され、溝２０４に対する＋Ｙ方向側に第三当接部２４Ｃが形成される。
【００７５】
そして、部分２２６（第一当接部２４Ａに対する−Ｘ方向側部分）と第一断熱材支持部２１との境界Ｌ１を屈曲させて、部分２２６を第一断熱材支持部２１に対して起立させることで、第一被固定部２６が形成される。また、部分２２８（第一当接部２４Ａに対する＋Ｘ方向側部分）と第二断熱材支持部２２との境界Ｌ２を屈曲させて、部分２２８を第二断熱材支持部２２に対して起立させることで、第二被固定部２８が形成される。なお、部分２２６、２２８を起立させることで、前述の切欠２７、２９が形成される。このようにして断熱材支持具２０が製造（形成）される。
【００７６】
断熱材支持具２０は、図７及び図８に示されるように、当接部２４Ａ〜２４Ｃが根太９２の下面に当接され、且つ、被固定部２６、２８が根太９２の側面に当接された状態で、ビス孔２６Ａ、２８Ａに通されたビスによって、被固定部２６、２８が根太９２に固定される。このとき、被固定部２６、２８の上端が根太９２の上端よりも下側に位置する。このようにして、断熱材支持具２０は、根太９２に対して固定される（取り付けられる）。
【００７７】
［断熱材支持具２０の作用効果］
断熱材支持具２０では、図８に示されるように、当接部２４Ａ〜２４Ｃの当接状態において、被固定部２６、２８の上端が根太９２の上端よりも下側に位置し、この状態で、被固定部２６、２８が根太９２に固定される。このため、被固定部２６、２８が根太９２に固定された際に、被固定部２６、２８が根太９２の上端より上側へ突出しない。したがって、断熱材支持具２０が固定された根太９２の上にパーチクルボード等の板材を配置しても、板材と根太９２との間に隙間が形成されることが抑制される。これにより、隙間に起因する床鳴りや歩行感の不良が抑制される。
【００７８】
また、本実施形態では、金属板２００（図１０参照）の部分２２６（第一当接部２４Ａに対する−Ｘ方向側部分）と第一断熱材支持部２１との境界Ｌ１を屈曲させて、部分２２６を第一断熱材支持部２１に対して起立させることで、第一被固定部２６が形成される。また、本実施形態では、金属板２００の部分２２８（第一当接部２４Ａに対する＋Ｘ方向側部分）と第二断熱材支持部２２との境界Ｌ２を屈曲させて、部分２２８を第二断熱材支持部２２に対して起立させることで、第二被固定部２８が形成される。
【００７９】
このように、境界Ｌ１、Ｌ２を屈曲させるという簡易な加工で、被固定部２６、２８を、それぞれ、第一断熱材支持部２１及び第二断熱材支持部２２と一体に設けることができる。したがって、複数個所を屈曲して被固定部２６、２８を形成する場合や、複数の金属板を接合して製造する場合などに比べ、形状が単純であると共に、製造工程における工程数が少なく、安価に製造できる。
【００８０】
また、本実施形態では、断熱材支持具２０として根太９２に固定した場合において、根太９２の下面に配置される部分２２６、２２８を被固定部２６、２８として用いるので、断熱材支持具２０として根太９２に固定した場合において根太９２のＹ方向側に突出する部分を被固定部２６、２８として用いる構成に比べ、第一断熱材支持部２１及び第二断熱材支持部２２の面積を広くできる。
【００８１】
また、本実施形態では、第一当接部２４Ａだけでなく第二当接部２４Ｂ及び第三当接部２４Ｃも根太９２の下面に当接するので、第一当接部２４Ａのみが当接する構成に比べ、断熱材支持具２０が根太９２に対して傾きにくく、断熱材支持具２０の根太９２に対する姿勢が安定する。
【００８２】
また、本実施形態では、被固定部２６、２８が、根太９２の両側の側面にそれぞれ固定されるので、根太９２の片側の側面に対して単一の被固定部が固定される構成に比べ、断熱材支持具２０の根太９２に対する固定強度が高い。
【００８３】
《第三実施形態》
［断熱材支持具３０］
次に、第三実施形態に係る断熱材支持具３０の構成を説明する。図１１〜図１３は、第三実施形態に係る断熱材支持具３０の構成を示す概略図である。なお、断熱材支持具２０と同じ点については、説明を適宜省略する。
【００８４】
断熱材支持具３０は、図１１に示されるように、第一当接部２４Ａ〜２４Ｃ、被固定部２６、２８、第一断熱材支持部２１及び第二断熱材支持部２２に加えて、第一差込部３６（差込部の一例）及び第二差込部３８（差込部の一例）を備える点で、断熱材支持具２０と異なっている。
【００８５】
第一差込部３６は、図１２に示されるように、根太９２の＋Ｙ方向側の側面に差し込まれる部分であり、第一被固定部２６と一体に第一被固定部２６の上端に設けられている。この第一差込部３６は、図１３に示されるように、三角形状に形成されており、先端（−Ｙ方向端）が尖っている。そして、第一差込部３６が根太９２の側面に差し込まれることで、第一被固定部２６が根太９２に固定される。
【００８６】
第二差込部３８は、図１２に示されるように、根太９２の−Ｙ方向側の側面に差し込まれる部分であり、第二被固定部２８と一体に第二被固定部２８の上端に設けられている。この第二差込部３８は、図１３に示されるように、三角形状に形成されており、先端（＋Ｙ方向端）が尖っている。そして、第二差込部３８が根太９２の側面に差し込まれることで、第二被固定部２８が根太９２に固定される。
【００８７】
このように、断熱材支持具３０では、第二差込部３８及び第一差込部３６は、断熱材支持具１０、２０におけるビス（固定部）として機能する。このため、ビス孔が不要となるため、断熱材支持具３０では、図１１に示されるように、被固定部２６、２８にビス孔２６Ａ、２８Ａが形成されていない。
【００８８】
また、断熱材支持具３０では、図１３に示されるように、断熱材支持具２０の構成に比べ、第一差込部３６に対応した三角形状の面積分、切欠２７の−Ｙ方向側が拡大されている。このため、第二当接部２４Ｂ及び第二断熱材支持部２２の面積が、断熱材支持具２０の構成に比べ、小さくされている。同様に、第二差込部３８に対応した三角形状の面積分、切欠２９の＋Ｙ方向側が拡大されている。このため、第三当接部２４Ｃ及び第一断熱材支持部２１の面積が、断熱材支持具２０の構成に比べ、小さくされている。
【００８９】
また、断熱材支持具３０は、平面状で且つ平面視長方形状の金属板３００（図１４参照）を加工することで製造（形成）されている。金属板３００としては、例えば、表面に防錆塗装を施した炭素鋼、ステンレス鋼などの合金鋼、銅ニッケル合金などの非鉄金属などの各種金属材料を用いることが可能である。
【００９０】
断熱材支持具３０は、具体的には、以下のように、金属板３００から製造（形成）される。すなわち、まず、金属板３００において、第一被固定部２６となる部分２２６及び第一差込部３６となる部分３３６の＋Ｘ方向端及び−Ｙ方向端の境界に沿って所定幅の溝３０２をく字状（Ｖ字状）に形成する。また、第二被固定部２８となる部分２２８及び第二差込部３８となる部分３３８の−Ｘ方向端及び＋Ｙ方向端の境界に沿って所定幅の溝３０４をく字状（Ｖ字状）に形成する。これにより、当接部２４Ａ〜２４Ｃが形成される。
【００９１】
そして、部分２２６（第一当接部２４Ａに対する−Ｘ方向側部分）と第一断熱材支持部２１との境界Ｌ１を屈曲させて、部分２２６を第一断熱材支持部２１に対して起立させることで、第一被固定部２６が形成される。さらに、部分２２６と部分３３６との境界Ｌ３を屈曲させて、部分３３６を部分２２６から−Ｙ方向側へ突出されることで、第一差込部３６が形成される。
【００９２】
また、部分２２８（第一当接部２４Ａに対する＋Ｘ方向側部分）と第二断熱材支持部２２との境界Ｌ２を屈曲させて、部分２２８を第二断熱材支持部２２に対して起立させることで、第二被固定部２８が形成される。さらに、部分２２８と部分３３８との境界Ｌ４を屈曲させて、部分３３８を部分２２８から＋Ｙ方向側へ突出されることで、第二差込部３８が形成される。なお、部分２２６、２２８を起立させることで、前述の切欠２７、２９が形成される。このようにして断熱材支持具３０が製造（形成）される。
【００９３】
断熱材支持具３０は、図１１及び図１２に示されるように、当接部２４Ａ〜２４Ｃの当接状態で、第一差込部３６及び第二差込部３８によって、被固定部２６、２８が根太９２に固定される。このとき、第一差込部３６及び第二差込部３８を含む被固定部２６、２８の上端が根太９２の上端よりも下側に位置する。このようにして、断熱材支持具３０は、根太９２に対して固定される（取り付けられる）。
【００９４】
［断熱材支持具３０の作用効果］
断熱材支持具３０は、第二実施形態に係る断熱材支持具２０の作用効果に加えて、以下の作用効果を有する。すなわち、断熱材支持具３０では、第二差込部３８及び第一差込部３６は、断熱材支持具１０、２０におけるビス（固定部）として機能する。このため、ビス等の固定部材が不要となり、部品点数が低減される。
【００９５】
《第四実施形態》
［断熱材支持具４０］
次に、第四実施形態に係る断熱材支持具４０の構成を説明する。図１５〜図１７は、第四実施形態に係る断熱材支持具４０の構成を示す概略図である。なお、断熱材支持具１０と同じ点については、説明を適宜省略する。
【００９６】
断熱材支持具４０は、図１５に示されるように、当接部４４と、第一断熱材支持部４１と、第二断熱材支持部４２と、被固定部４６と、を備えている。この断熱材支持具４０は、根太９２の長手方向（Ｘ方向）に沿って複数配設され、根太９２に固定されて用いられる。具体的には、第一断熱材支持部４１と第二断熱材支持部４２との根太９２に対する位置が入れ替わるように、根太９２における＋Ｙ方向側の側面及び−Ｙ方向側の側面に対して交互に各断熱材支持具４０が固定されている。なお、各断熱材支持具４０は、同じ向きで、根太９２の片側の側面に対して固定される構成であってもよい。以下、図１５における−Ｘ方向側に配置された断熱材支持具４０について説明する。
【００９７】
当接部４４は、図１６に示されるように、根太９２の下面に当接する部分である。この当接部４４は、高さ方向（Ｚ方向）に厚みを有する板状とされている。当接部４４が根太９２の下面に当接した状態（以下、当接部４４の当接状態という）において、断熱材支持具４０は根太９２に対して固定される。
【００９８】
そして、当接部４４は、図１７に示されるように、Ｙ方向において、根太９２の全幅Ｗで根太９２の下面に当接し、Ｘ方向において、根太９２の全幅Ｗより広い長さで根太９２の下面に当接している。したがって、当接部４４は、平面視にてＸ方向に長さを有する長方形状とされている。
【００９９】
第一断熱材支持部４１は、図１５及び図１６に示されるように、当接部４４と一体に設けられ、当接部４４から＋Ｙ方向側へ延び出ている。すなわち、第一断熱材支持部４１は、当接部４４の当接状態において、当接部４４から根太９２の＋Ｙ方向側の側面（一方の側面の一例）よりも外側（＋Ｙ方向側）へ突出する。第一断熱材支持部４１は、具体的には、図１７に示されるように、当接部４４の＋Ｘ方向端を含む＋Ｘ方向側部分から＋Ｙ方向側へ延び出ている。したがって、第一断熱材支持部４１のＸ方向長さは、当接部４４のＸ方向長さよりも短くされている。そして、第一断熱材支持部４１は、上面に断熱材の一部（例えば、隅部）が載せられて、当該断熱材を支持する。断熱材は、例えば、平面視にて、Ｙ方向に複数配置された根太９２の間に配置される。
【０１００】
第二断熱材支持部４２は、図１６に示されるように、当接部４４と一体に設けられ、当接部４４から−Ｙ方向側へ延び出ている。すなわち、第二断熱材支持部４２は、当接部４４の当接状態において、当接部４４から根太９２の−Ｙ方向側の側面（他方の側面の一例）よりも外側（−Ｙ方向側）へ突出する。さらに、第二断熱材支持部４２のＸ方向長さは、図１７に示されるように、当接部４４のＸ方向長さと同じとされている。第二断熱材支持部４２のＹ方向幅は、第一断熱材支持部４１のＹ方向幅よりも若干広く、第二断熱材支持部４２のＸ方向長さよりも狭くされている。したがって、第二断熱材支持部４２は、平面視にてＸ方向に長さを有する長方形状とされている。そして、第二断熱材支持部４２は、上面に断熱材の一部（例えば、隅部）が載せられて、当該断熱材を支持する。
【０１０１】
被固定部４６は、図１６に示されるように、当接部４４と一体に設けられており、図１７に示されるように、第一断熱材支持部４１に対する−Ｘ方向側（根太９２の長手方向一方側の一例）で当接部４４に対して起立されている。具体的には、被固定部４６は、当接部４４における−Ｘ方向端を含む−Ｘ方向側部分の＋Ｙ方向端から上方（＋Ｚ方向）へ延び出ている。したがって、被固定部４６のＸ方向長さは、当接部４４のＸ方向長さよりも短くされている。
【０１０２】
そして、被固定部４６は、図１６に示されるように、根太９２の＋Ｙ方向側の側面に固定される。具体的には、被固定部４６に形成されたビス孔４６Ａ（図１５参照）に対して通されたビスによって、根太９２に固定される。なお、図１６及び図１７では、当該ビスによって固定される位置が、一点鎖線によって示されている。
【０１０３】
また、被固定部４６は、Ｙ方向に厚みを有する板状とされている。さらに、被固定部４６のＺ方向長さは、第一断熱材支持部４１のＹ方向幅と同じとされており、根太９２の高さ方向長さよりも短くされている。このため、当接部４４の当接状態において、被固定部４６の上端が根太９２の上端よりも下側（−Ｚ方向側）に位置する。
【０１０４】
また、断熱材支持具４０は、平面状で且つ平面視長方形状の金属板４００（図１８参照）を加工することで製造（形成）されている。金属板４００としては、例えば、表面に防錆塗装を施した炭素鋼、ステンレス鋼などの合金鋼、銅ニッケル合金などの非鉄金属などの各種金属材料を用いることが可能である。
【０１０５】
断熱材支持具４０は、具体的には、以下のように、金属板４００から製造（形成）される。すなわち、まず、金属板４００において、被固定部４６となる部分４４６にビス孔４６Ａを形成する。部分４４６は、金属板４００の＋Ｙ方向側であって−Ｘ方向側の部分を構成している。
【０１０６】
次に、金属板４００の＋Ｙ方向端におけるＸ方向中間部分から部分４４６の＋Ｘ方向端の境界に沿って−Ｙ方向へ所定幅の溝４０２を形成する。これにより、溝４０２に対する＋Ｘ方向側には、第一断熱材支持部４１が形成される。そして、部分４４６（第一断熱材支持部４１に対する−Ｘ方向側部分）と当接部４４との境界Ｌを屈曲させて、部分４４６を当接部４４に対して起立させることで、被固定部４６が形成される。このようにして、断熱材支持具４０が製造（形成）される。
【０１０７】
断熱材支持具４０は、図１５及び図１６に示されるように、当接部４４が根太９２の下面に当接され、且つ、被固定部４６が根太９２の側面に当接された状態で、ビス孔４６Ａに通されたビスによって、被固定部４６が根太９２に固定される。このとき、被固定部４６の上端が根太９２の上端よりも下側に位置する。このようにして、断熱材支持具４０は、根太９２に対して固定される（取り付けられる）。
【０１０８】
［断熱材支持具４０の作用効果］
断熱材支持具４０では、図１６に示されるように、当接部４４の当接状態において、被固定部４６の上端が根太９２の上端よりも下側に位置し、この状態で、被固定部４６が根太９２に固定される。このため、被固定部４６が根太９２に固定された際に、被固定部４６が根太９２の上端より上側へ突出しない。したがって、断熱材支持具４０が固定された根太９２の上にパーチクルボード等の板材を配置しても、板材と根太９２との間に隙間が形成されることが抑制される。これにより、隙間に起因する床鳴りや歩行感の不良が抑制される。
【０１０９】
また、本実施形態では、金属板４００（図１８参照）の部分４４６（第一断熱材支持部４１に対する−Ｘ方向側部分）と当接部４４との境界Ｌを屈曲させて、部分４４６を当接部４４に対して起立させることで、被固定部４６が形成される。このように、境界Ｌを屈曲させるという簡易な加工で、被固定部４６を当接部４４と一体に設けることができる。したがって、複数個所を屈曲して被固定部４６を形成する場合や、複数の金属板を接合して製造する場合などに比べ、形状が単純であると共に、製造工程における工程数が少なく、安価に製造できる。
【０１１０】
また、本実施形態では、断熱材支持具４０として根太９２に固定した場合において、根太９２の＋Ｙ方向に突出する部分４４６を被固定部４６として用いるので、断熱材支持具４０として根太９２に固定した場合において根太９２の下面に配置される部分を被固定部４６として用いる構成に比べ、当接部４４の面積を広くできる。
【０１１１】
また、本実施形態では、断熱材支持具４０は、被固定部４６が根太９２の側面に固定されるので、断熱材支持具４０が根太９２の下面に固定される構成に比べ、根太９２への固定作業がしやすい。
【０１１２】
《第五実施形態》
［断熱材支持具５０］
次に、第五実施形態に係る断熱材支持具５０の構成を説明する。図１９〜図２１は、第五実施形態に係る断熱材支持具５０の構成を示す概略図である。なお、断熱材支持具４０と同じ点については、説明を適宜省略する。
【０１１３】
断熱材支持具５０は、図１９に示されるように、当接部５５と、一対の第一断熱材支持部５１、５３と、一対の第二断熱材支持部５２、５４と、第一被固定部５６と、第二被固定部５８と、を備えている。当接部５５は、断熱材支持具４０における当接部４４と同様に構成されている。
【０１１４】
一対の第一断熱材支持部５１、５３は、図１９に示されるように、当接部５５と一体に設けられ、当接部５５から＋Ｙ方向側へ延び出ている。すなわち、一対の第一断熱材支持部５１、５３は、当接部５５の当接状態において、当接部５５から根太９２の＋Ｙ方向側の側面（一方の側面の一例）よりも外側（＋Ｙ方向側）へ突出する。
【０１１５】
第一断熱材支持部５１は、図２１に示されるように、当接部５５の＋Ｘ方向端を含む＋Ｘ方向側部分から＋Ｙ方向側へ延び出ている。したがって、第一断熱材支持部５１のＸ方向長さは、当接部５５のＸ方向長さよりも短くされている。また、第一断熱材支持部５３は、第一断熱材支持部５１に対して、−Ｘ方向側に間隔をおいて配置されている。具体的には、第一断熱材支持部５３は、当接部５５の−Ｘ方向端を含む−Ｘ方向側部分から＋Ｙ方向側へ延び出ている。したがって、第一断熱材支持部５３のＸ方向長さは、当接部５５のＸ方向長さよりも短くされている。なお、第一断熱材支持部５１、５３のＸ方向長さは、同じとされている。
【０１１６】
そして、第一断熱材支持部５１、５３は、上面に断熱材の一部（例えば、隅部）が載せられて、当該断熱材を支持する。断熱材は、例えば、平面視にて、Ｙ方向に複数配置された根太９２の間に配置される。
【０１１７】
一対の第二断熱材支持部５２、５４は、図１９に示されるように、当接部５５と一体に設けられ、当接部５５から−Ｙ方向側へ延び出ている。すなわち、一対の第二断熱材支持部５２、５４は、当接部５５の当接状態において、当接部５５から根太９２の−Ｙ方向側の側面（他方の側面の一例）よりも外側（−Ｙ方向側）へ突出する。
【０１１８】
第二断熱材支持部５２は、図２１に示されるように、当接部５５の＋Ｘ方向端を含む＋Ｘ方向側部分から−Ｙ方向側へ延び出ている。したがって、第二断熱材支持部５２のＸ方向長さは、当接部５５のＸ方向長さよりも短くされている。
【０１１９】
また、第二断熱材支持部５４は、第二断熱材支持部５２に対して、−Ｘ方向側に間隔をおいて配置されている。具体的には、第二断熱材支持部５４は、当接部５５の−Ｘ方向端を含む−Ｘ方向側部分から−Ｙ方向側へ延び出ている。したがって、第二断熱材支持部５４のＸ方向長さは、当接部５５のＸ方向長さよりも短くされている。なお、第二断熱材支持部５２、５４のＸ方向長さは、同じとされている。そして、第二断熱材支持部５２、５４は、上面に断熱材の一部（例えば、隅部）が載せられて、当該断熱材を支持する。
【０１２０】
第一被固定部５６は、図１９に示されるように、当接部５５と一体に設けられており、図２１に示されるように、一対の第一断熱材支持部５１、５３の間で当接部５５に対して起立されている。具体的には、第一被固定部５６は、当接部５５におけるＸ方向の中央部分の＋Ｙ方向端から上方（＋Ｚ方向）へ延び出ている。したがって、第一被固定部５６のＸ方向長さは、当接部５５のＸ方向長さよりも短くされている。
【０１２１】
そして、第一被固定部５６は、図２０に示されるように、根太９２の＋Ｙ方向側の側面に固定される。具体的には、第一被固定部５６に形成されたビス孔５６Ａ（図１９参照）に対して通されたビスによって、根太９２に固定される。なお、図２０及び図２１では、当該ビスによって固定される位置が、一点鎖線によって示されている。
【０１２２】
第二被固定部５８は、図１９に示されるように、当接部５５と一体に設けられており、図２１に示されるように、一対の第二断熱材支持部５２、５４の間で当接部５５に対して起立されている。具体的には、第二被固定部５８は、当接部５５におけるＸ方向の中央部分の−Ｙ方向端から上方（＋Ｚ方向）へ延び出ている。したがって、第二被固定部５８のＸ方向長さは、当接部５５のＸ方向長さよりも短くされている。
【０１２３】
そして、第二被固定部５８は、図２０に示されるように、根太９２の−Ｙ方向側の側面に固定される。具体的には、第二被固定部５８に形成されたビス孔５８Ａ（図１９参照）に対して通されたビスによって、根太９２に固定される。なお、図２０及び図２１では、当該ビスによって固定される位置が、一点鎖線によって示されている。
【０１２４】
第一被固定部５６及び第二被固定部５８（以下、被固定部５６、５８という）のＺ方向長さは、それぞれ、第一断熱材支持部５１、５３のＹ方向幅及び第二断熱材支持部５２、５４のＹ方向幅と同じとされており、根太９２の高さ方向長さよりも短くされている。このため、当接部５５の当接状態において、被固定部５６、５８の上端が根太９２の上端よりも下側（−Ｚ方向側）に位置する。なお、被固定部５６、５８のＺ方向長さは、同じとされている。
【０１２５】
また、断熱材支持具５０は、平面状で且つ平面視長方形状の金属板５００（図２２参照）を加工することで製造（形成）されている。金属板５００としては、例えば、表面に防錆塗装を施した炭素鋼、ステンレス鋼などの合金鋼、銅ニッケル合金などの非鉄金属などの各種金属材料を用いることが可能である。
【０１２６】
断熱材支持具５０は、具体的には、以下のように、金属板５００から製造（形成）される。すなわち、まず、金属板５００において、第一被固定部５６となる部分５５６にビス孔５６Ａを形成し、第二被固定部５８となる部分５５８にビス孔５８Ａを形成する。部分５５６は、金属板５００のＸ方向の中央部（中間部）であって＋Ｙ方向側部分を構成し、部分５５８は、金属板２００のＸ方向の中央部（中間部）であって−Ｙ方向側部分を構成している。
【０１２７】
次に、金属板５００の＋Ｙ方向端から部分５５６の＋Ｘ方向端及び−Ｘ方向端の境界に沿って−Ｙ方向へ所定幅の溝５０１、５０３を形成する。これにより、溝５０１に対する＋Ｘ方向側に第一断熱材支持部５１が形成され、溝５０３に対する−Ｘ方向側に第一断熱材支持部５３が形成される。また、金属板５００の−Ｙ方向端から部分５５８の＋Ｘ方向端及び−Ｘ方向端の境界に沿って＋Ｙ方向へ所定幅の溝５０２、５０４を形成する。これにより、溝５０２に対する＋Ｘ方向側に第二断熱材支持部５２が形成され、溝５０４に対する−Ｘ方向側に第二断熱材支持部５４が形成される。
【０１２８】
そして、部分５５６と当接部５５との境界Ｌ１を屈曲させて、部分５５６を当接部５５に対して起立させることで、第一被固定部５６が形成される。また、部分５５８と当接部５５との境界Ｌ２を屈曲させて、部分５５８を当接部５５に対して起立させることで、第二被固定部５８が形成される。このようにして、断熱材支持具５０が製造（形成）される。
【０１２９】
断熱材支持具５０は、図１９及び図２０に示されるように、当接部５５が根太９２の下面に当接され、且つ、被固定部５６、５８が根太９２の側面に当接された状態で、ビス孔５６Ａ、５８Ａに通されたビスによって、被固定部５６、５８が根太９２に固定される。このとき、被固定部５６、５８の上端が根太９２の上端よりも下側に位置する。このようにして、断熱材支持具５０は、根太９２に対して固定される（取り付けられる）。
【０１３０】
［断熱材支持具５０の作用効果］
断熱材支持具５０では、図２０に示されるように、当接部５５の当接状態において、被固定部５６、５８の上端が根太９２の上端よりも下側に位置し、この状態で、被固定部５６、５８が根太９２に固定される。このため、被固定部５６、５８が根太９２に固定された際に、被固定部５６、５８が根太９２の上端より上側へ突出しない。したがって、断熱材支持具５０が固定された根太９２の上にパーチクルボード等の板材を配置しても、板材と根太９２との間に隙間が形成されることが抑制される。これにより、隙間に起因する床鳴りや歩行感の不良が抑制される。
【０１３１】
また、本実施形態では、金属板５００（図２２参照）の部分５５６と当接部５５との境界Ｌ１を屈曲させて、部分５５６を当接部５５に対して起立させることで、第一被固定部５６が形成される。また、部分５５８と当接部５５との境界Ｌ２を屈曲させて、部分５５８を当接部５５に対して起立させることで、第二被固定部５８が形成される。このように、境界Ｌ１、Ｌ２を屈曲させるという簡易な加工で、被固定部５６、５８を当接部５５と一体に設けることができる。したがって、複数個所を屈曲して被固定部５６、５８を形成する場合や、複数の金属板を接合して製造する場合などに比べ、形状が単純であると共に、製造工程における工程数が少なく、安価に製造できる。
【０１３２】
また、本実施形態では、断熱材支持具５０として根太９２に固定した場合において、根太９２のＹ方向に突出する部分５５６、５５８を被固定部５６、５８として用いるので、断熱材支持具５０として根太９２に固定した場合において根太９２の下面に配置される部分を被固定部５６、５８として用いる構成に比べ、当接部５５の面積を広くできる。
【０１３３】
また、本実施形態では、被固定部２６、２８が、根太９２の両側の側面にそれぞれ固定されるので、根太９２の片側の側面に対して単一の被固定部が固定される構成に比べ、断熱材支持具２０の根太９２に対する固定強度が高い。
【０１３４】
［変形例］
断熱材支持具１０、２０、３０、４０、５０は、それぞれ、一枚の金属板１００、２００、３００、４００、５００から製造されていたが、これに限られず、複数の金属板から製造されていてもよい。この場合、当接部、第一断熱材支持部、第二断熱材支持部及び被固定部の各部は、溶接等により接合されていてもよい。また、被固定部が接合される場合には、当接部、第一断熱材支持部及び第二断熱材支持部のいずれか複数に接合されていてもよく、被固定部は、当接部、第一断熱材支持部及び第二断熱材支持部の少なくとも一方に設けられていればよい。
【０１３５】
断熱材支持具１０、２０、３０、４０、５０が固定される横架材としては、根太９２に限られず、大引であってもよい。
【０１３６】
断熱材支持具３０では、第一差込部３６及び第二差込部３８の両方を備えていたが、第一差込部３６及び第二差込部３８の一方を備える構成であってもよい。また、差込部は、断熱材支持具１０における被固定部１６、断熱材支持具４０における被固定部４６、及び断熱材支持具５０における被固定部５６、５８のいずれかに設けてもよい。
【０１３７】
本発明は、上記の実施形態に限るものではなく、その主旨を逸脱しない範囲内において種々の変形、変更、改良が可能である。例えば、上記に示した実施形態及び変形例は、適宜、複数を組み合わせて構成してもよい。
【符号の説明】
【０１３８】
１０、２０、３０、４０、５０  断熱材支持具
１１、２１、４１、５１、５３  第一断熱材支持部
１２、２２、４２、５２、５４  第二断熱材支持部
１４Ａ、２４Ａ  第一当接部（当接部の一例）
１４Ｂ、２４Ｂ  第二当接部（一方側当接部の一例）
１６、４６  被固定部
２４Ｃ  第三当接部（他方側当接部の一例）
２６、５６  第一被固定部（被固定部の一例）
２８、５８  第二被固定部
３６  第一差込部（差込部の一例）
３８  第二差込部（差込部の一例）
４４、５５  当接部
９２  根太（横架材の一例）
【図１】
0006703895.tif 000002
【図２】
0006703895.tif 000003
【図３】
0006703895.tif 000004
【図４】
0006703895.tif 000005
【図５】
0006703895.tif 000006
【図６】
0006703895.tif 000007
【図７】
0006703895.tif 000008
【図８】
0006703895.tif 000009
【図９】
0006703895.tif 000010
【図１０】
0006703895.tif 000011
【図１１】
0006703895.tif 000012
【図１２】
0006703895.tif 000013
【図１３】
0006703895.tif 000014
【図１４】
0006703895.tif 000015
【図１５】
0006703895.tif 000016
【図１６】
0006703895.tif 000017
【図１７】
0006703895.tif 000018
【図１８】
0006703895.tif 000019
【図１９】
0006703895.tif 000020
【図２０】
0006703895.tif 000021
【図２１】
0006703895.tif 000022
【図２２】
0006703895.tif 000023